【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
ランダムアクセスを開始し、
前記ランダムアクセスのために、システム情報で提供されるネットワーク構成に少なくとも基づいて、第１のランダムアクセスチャネル（ＲＡＣＨ）手続を選択するか又は第２のＲＡＣＨ手続を選択するかを判断するように構成されるプロセッサを備え、
前記第２のＲＡＣＨ手続が選択されるときに、前記プロセッサが、
前記第２のＲＡＣＨ手続に関連付けられる少なくとも１つの物理ランダムアクセスチャネル（ＰＲＡＣＨ）リソースを判断し、
プリアンブルリソースを示す情報を含む上位レイヤ情報に基づいて、第２のＲＡＣＨ手続に関連付けられるプリアンブルリソースを判断し、
プリアンブルに関する情報を含む上位レイヤ情報に少なくとも基づいて、前記第２のＲＡＣＨ手続に関連付けられるプリアンブルを判断し、
アップリンクデータのためのデータリソースを、前記少なくとも１つのＰＲＡＣＨリソース、プリアンブルシーケンス、前記アップリンクデータのタイプ、又は前記アップリンクデータのサイズのうちの１つ以上に基づいて判断し、
前記少なくとも１つのＰＲＡＣＨリソース及び前記データリソースを使用して、前記プリアンブルシーケンス及び前記アップリンクデータを含むＲＡＣＨ送信をネットワークデバイスに送信するようにさらに構成される、
ワイヤレス送信／受信ユニット（ＷＴＲＵ）。
【請求項２】
前記プロセッサが、前記ＲＡＣＨ送信内の前記アップリンクデータに関連付けられる肯定応答（ＡＣＫ）又は否定応答（ＮＡＣＫ）を含むランダムアクセス応答（ＲＡＲ）メッセージを受信するようにさらに構成される、請求項１に記載のＷＴＲＵ。
【請求項３】
前記ＲＡＲメッセージが、アップリンクグラントを含み、前記プロセッサが、前記アップリンクグラントに基づいて前記ネットワークデバイスに、追加の保留アップリンクデータ、制御情報、又は状態遷移情報のうちの１つ以上を送信するようにさらに構成される、請求項２に記載のＷＴＲＵ。
【請求項４】
前記第２のＲＡＣＨ手続が、拡張ＲＡＣＨ手続であり、前記ＰＲＡＣＨリソースが、拡張ＰＲＡＣＨリソースである、請求項１〜３のいずれか１項に記載のＷＴＲＵ。
【請求項５】
前記ＲＡＣＨ送信内の前記プリアンブルシーケンス及び前記アップリンクデータが、時間又は周波数のうちの１つ以上において互いに素である、請求項１に記載のＷＴＲＵ。
【請求項６】
前記プリアンブルシーケンスが、前記ＲＡＣＨ送信内の前記アップリンクデータの先頭に追加される、請求項１〜４のいずれか１項に記載のＷＴＲＵ。
【請求項７】
前記プリアンブルシーケンスが、前記少なくとも１つのＰＲＡＣＨリソース、データ受信信頼性、送信予定データ量、最大トランスポートブロックサイズ、トランスポートブロックサイズの許容範囲、前記ＲＡＣＨ送信のタイプ、前記ＲＡＣＨ送信に関連付けられるトリガ、タイミング要件、バッファ状態、ＷＴＲＵ識別、位置、ヌメロロジー、変調及び符号化方式（ＭＣＳ）、復調構成、又は前記ネットワークデバイスから受信される複数のプリアンブルのうちの１つ以上に基づいて判断される、請求項１〜６のいずれか１項に記載のＷＴＲＵ。
【請求項８】
前記プロセッサが、スケジューリング要求を実行するため、又は所定の閾値未満のデータ量を送信するために、前記ランダムアクセスを開始するようにさらに構成される、請求項１〜７のいずれか１項に記載のＷＴＲＵ。
【請求項９】
前記データリソースが、システム情報、アクセステーブル、又は特定の無線ネットワーク識別子（ＲＮＴＩ）への物理データ制御チャネル（ＰＤＣＣＨ）グラントのうちの１つ以上を介して示される利用可能なリソースのセットから判断される、請求項１〜８のいずれか１項に記載のＷＴＲＵ。
【請求項１０】
前記ＰＲＡＣＨリソースが、前記プリアンブルシーケンス、時間−周波数リソース、又はヌメロロジーを含む、請求項１〜９のいずれか１項に記載のＷＴＲＵ。
【請求項１１】
データ送信の方法であって、前記方法が、
ランダムアクセスを開始することと、
前記ランダムアクセスのために、システム情報で提供されるネットワーク構成に少なくとも基づいて、第１のランダムアクセスチャネル（ＲＡＣＨ）手続を選択するか又は第２のＲＡＣＨ手続を選択するかを判断することと、を含み、
前記第２のＲＡＣＨ手続が選択されるときに、前記方法が、
前記第２のＲＡＣＨ手続に関連付けられる少なくとも１つの物理ランダムアクセスチャネル（ＰＲＡＣＨ）リソースを判断することと、
プリアンブルリソースを示す情報を含む上位レイヤ情報に基づいて、第２のＲＡＣＨ手続に関連付けられるプリアンブルリソースを判断し、
プリアンブルに関する情報を含む上位レイヤ情報に少なくとも基づいて、前記第２のＲＡＣＨ手続に関連付けられるプリアンブルを判断し、
アップリンクデータのためのデータリソースを、前記少なくとも１つのＰＲＡＣＨリソース、プリアンブルシーケンス、前記アップリンクデータのタイプ、又は前記アップリンクデータのサイズのうちの１つ以上に基づいて判断することと、
前記少なくとも１つのＰＲＡＣＨリソース及び前記データリソースを使用して、前記プリアンブルシーケンス及び前記アップリンクデータを含むＲＡＣＨ送信をネットワークデバイスに送信することと、をさらに含む、
方法。
【請求項１２】
前記ＲＡＣＨ送信内の前記アップリンクデータに関連付けられる肯定応答（ＡＣＫ）又は否定応答（ＮＡＣＫ）を含むランダムアクセス応答（ＲＡＲ）メッセージを受信することをさらに含む、請求項１１に記載の方法。
【請求項１３】
前記ＲＡＲメッセージが、アップリンクグラントを含み、前記方法が、前記アップリンクグラントに基づいて前記ネットワークデバイスに、追加の保留アップリンクデータ、制御情報、又は状態遷移情報のうちの１つ以上を送信することをさらに含む、請求項１２に記載の方法。
【請求項１４】
前記第２のＲＡＣＨ手続が、拡張ＲＡＣＨ手続であり、前記ＰＲＡＣＨリソースが、拡張ＰＲＡＣＨリソースである、請求項１１〜１３のいずれか１項に記載の方法。
【請求項１５】
前記ＲＡＣＨ送信内の前記プリアンブルシーケンス及び前記アップリンクデータが、時間又は周波数のうちの１つ以上において互いに素である、請求項１１に記載の方法。
【請求項１６】
前記プリアンブルシーケンスが、前記ＲＡＣＨ送信内の前記アップリンクデータの先頭に追加される、請求項１１〜１４のいずれか１項に記載の方法。
【請求項１７】
前記プリアンブルシーケンスが、前記少なくとも１つのＰＲＡＣＨリソース、データ受信信頼性、送信予定データ量、最大トランスポートブロックサイズ、トランスポートブロックサイズの許容範囲、前記ＲＡＣＨ送信のタイプ、前記ＲＡＣＨ送信に関連付けられるトリガ、タイミング要件、バッファ状態、ＷＴＲＵ識別、位置、ヌメロロジー、変調及び符号化方式（ＭＣＳ）、復調構成、又は前記ネットワークデバイスから受信される複数のプリアンブルのうちの１つ以上に基づいて判断される、請求項１１〜１６のいずれか１項に記載の方法。
【請求項１８】
スケジューリング要求を実行するため、又は所定の閾値未満のデータ量を送信するために、前記ランダムアクセスを開始することをさらに含む、請求項１１〜１７のいずれか１項に記載の方法。
【請求項１９】
前記データリソースが、システム情報、アクセステーブル、又は特定の無線ネットワーク識別子（ＲＮＴＩ）への物理データ制御チャネル（ＰＤＣＣＨ）グラントのうちの１つ以上を介して示される利用可能なリソースのセットから判断される、請求項１１〜１８のいずれか１項に記載の方法。
【請求項２０】
前記ＰＲＡＣＨリソースが、前記プリアンブルシーケンス、時間−周波数リソース、又はヌメロロジーを含む、請求項１１〜１９のいずれか１項に記載の方法。